【事件の表示】
　特許第３３２４２６１号「高周波装置のケース」の請求項１〜３に係る特許に対する特許異議の申立てについて、次のとおり決定する。
【結　論】
　訂正を認める。
　特許第３３２４２６１号の請求項１に係る特許を維持する。
【理　由】
１
　本件特許第３３２４２６１号の発明についての出願は、平成６年３月１５日に特許出願され、平成１４年７月５日にその特許の設定登録（請求項の数：４）がなされた。これに対して、表記異議申立人より請求項１〜３に係る特許について異議の申立てがあったので、当審において審理のうえ取消理由を通知したところ、その指定期間内に訂正請求書が提出されたものである。　　　　　　　　　　　　　　　　　　　　　　　　　　　
２
 (
1
　特許権者が求めている訂正の内容は、以下のとおりである。
　　（特許請求の範囲）
　ａ　請求項１の「この枠体に設けられるコネクタと、」を「この枠体の一方の辺に設けられたコネクタと、」と訂正する。
　ｂ　請求項１に、「突出部の幅は前記コネクタの直径より大きくする」を挿入する。
　ｃ　請求項１に、請求項２の「圧接部の幅を前記コネクタの直径の略半分とする」を挿入する。
　ｄ　請求項１に、請求項３の構成と同趣旨の「突出部の折り曲げの長さは前記スリットの長さより長くし、」を挿入する。
　ｅ　請求項２，３を削除し、請求項４を新請求項２に繰り上げる。
　　（発明の詳細な説明）
　ｆ　明細書段落番号【０００６】及び【００１９】中の記載について上記ｂ，ｃ，ｄと同じ趣旨の訂正をする。
　ｇ　明細書段落番号【００１２】の「圧接部の幅１３ａ」を、「突出部１３の幅１３ａ」とする。
　ｈ　明細書段落番号【００１９】の「従って、より高いシールド効果を得ることができるという効果がある。」を、「また、スリットにより生ずる孔を突出部で塞ぐことができるので、より高いシールド効果を得ることができるという効果がある。」と訂正する。
　　　　　　　　
 (
2
　　（特許請求の範囲）
　訂正事項ａは、コネクタの設置個所を限定したものであり、
　訂正事項ｂは、突出部の幅を限定するものであり、
　訂正事項ｃは、圧接部の幅を限定するものであり、
　訂正事項ｄは、突出部の折り曲げの長さを限定するものであるから、
いずれも特許請求の範囲の減縮を目的とするものである。
　訂正事項ｅは、請求項の削除に伴い請求項番号を整合させるものであるから、不明瞭な記載の釈明に該当する。　
　上記訂正事項ａ〜ｅは、願書に添付した明細書の段落番号【０００９】，【００１２】，請求項２及び３に記載されていたものであるから、上記訂正事項ａ〜ｅは、願書に添付した明細書又は図面に記載した事項の範囲内での訂正である。
　　　　　　　　　　　　　　
　　（発明の詳細な説明）
　上記訂正事項ｆは、請求項１の上記訂正事項ｂ〜ｄに対応する部分を当該訂正事項ｂ〜ｄと整合するように明確化したものであるから、不明瞭な記載の釈明に相当するものである。
　上記訂正事項ｇは、誤記である「圧接部」を削除し「突出部１３」としたものであり、誤記の訂正に該当する。
　上記訂正事項ｈは、明細書の【００１４】の構成を加入して解り易くしたものであるから不明瞭な記載の釈明に相当する。
　　　　　　　
　そして、上記訂正事項ａ〜ｈは、新規事項の追加に該当せず、実質的に特許請求の範囲を拡張又は変更するものでもない。
　　　　　　　　　　　　　　　　　　　　　　
 (
3
　異議の申立てがされていない訂正前の請求項４（請求項１の従属形式）は、訂正後に項番が繰り上がって請求項２（請求項１の従属形式）となった。訂正後の請求項１は、前述したとおり減縮訂正されているから、それを引用した訂正後の請求項２も、結果的には減縮訂正したことになるので、よって、実質的には訂正されたことになる訂正後の請求項２に係る発明の独立特許要件について検討する。
　訂正後の請求項２に係る発明は、訂正明細書の特許請求の範囲の請求項２に記載されたとおりのものであって、同請求項１に係る発明の構成を全て含むものである。
　そして、当該請求項１に係る発明が、下記
３
4
　したがって、訂正明細書の請求項２に係る発明は、特許出願の際、独立して特許を受けることができるものであるのは明らかである。
　　　　　　　　　　　　
 (
4
　以上のとおり、上記訂正は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　　　　　　　　　　　　　　　　　　　　　　　　　　　　　　　
３
 (
1
　上記のとおり訂正が認められたので、本件特許に係る発明は、訂正明細書の請求項１に記載された次のとおりのものと認める。
【請求項１】
　少なくとも上下の一方向の面が開口した開口部を有する枠体と、この枠体の一方の辺に設けられたコネクタと、このコネクタの近傍に設けられるとともに前記枠体の開口縁に前記開口部側へ折り曲げて設けられた突出部と、前記開口部に装着されたカバーと、前記カバーにスリットによって形成された圧接部とを備え、前記突出部の幅は前記コネクタの直径より大きくするとともに前記突出部の折り曲げの長さは前記スリットの長さより長くし、前記圧接部の幅を前記コネクタの直径の略半分とするとともに前記圧接部の前記先端部が前記突出部に折り曲げられて圧接された高周波装置のケース。
　　　　　（以下、本件発明という）　　　　　　　　　　　
　　　　　　　　　　　　　　　　　　　　　　　　　
 (
2
　申立人は、
［
］
［
］
　本件訂正前の請求項１〜３に係る発明は、上記刊行物１及び２にそれぞれ記載された発明に基づいて当業者が容易に発明をすることができたものであり、特許法第２９条第２項の規定に違反して特許されたものである旨を主張している。
　　　　　　　　　　　　　　　　　　　　　　　
 (
3
　刊行物１の【要約】には、「【目的】　高周波機器におけるフレームとカバーのアースを簡単な構造で確実に、しかも経済的に行なえるようにする。
【構成】　フレーム１１の外周プレート１１ａに折曲片１７を設け、フレーム１１に外嵌固定するカバー１４と上記折曲片１７の相対向する面の一方に相手面へ当接する突条１８を設け、更にカバー１４の外周部で突起１８に近接する位置にスリット１９を設け、カバー１４の突起１８に近接する部分に弾力性を持たせることにより突起１８とカバー１４を圧接させ、フレーム１１とカバー１４のアースを確実にする。」と記載され、
　また、【００１２】【００１３】には、「図１のように、回路基板を収納する枠状のフレーム１１は内部をシールド板１２で複数の室に仕切り、このフレーム１１における外周プレート１１ａにコネクター１３が取付けられ、該フレーム１１の上部にカバー１４が外嵌固定されている。
　上記フレーム１１に対するカバー１４の固定構造は、図示の場合、カバー１４の四周縁に下面側へ屈曲してフレーム１１に外嵌する弾性係合爪１５を折曲げ連成し、フレーム１１を形成する外周プレートの各々に突条１６を打出し形成し、カバー１４をフレーム１１に外嵌挿して押込めば、係合爪１５は突条１６を弾力的に通過し、図２のように抜止め状に係合するようになっている。」と記載され、
　また、【００１５】【００１６】には、「前記フレーム１１において、コネクター１３を取付けた外周プレート１１ａの上縁でコネクター１３の直上位置に、フレーム１１の内側に向けて直角に屈曲し、上面がカバー１４の内面と対向する折曲片１７を連成し、図２のように折曲片１７の上面に上方へ突出する突起１８が設けられている。
　この突起１８はフレーム１１に外嵌固定したカバー１４の内面が当接するようその高さを例えば0.2mm 程度に設定すればよいと共に、カバー１４の外周部で突起１８に当接する部分の近接位置にスリット１９が設けられ、このスリット１９によりカバー１４の突起１８に当接する部分に弾力性を付与し、突起１８に対するカバー１４の接触が弾力的となり、接触をより確実に行なえるようにしている。」と記載されている。
　また、【図２】を見ると、屈曲片１７の幅はコネクタの直径と同程度である。
　　　　　　　　　　　　　　　　　　　　　　　　　　　　　　
  刊行物２の【要約】には、「【目的】　フレームとカバーのアース接点を簡単な構造で経時的に安定化する。
【構成】　表面処理鋼板を用いて形成され、内部に回路基板を収納するフレーム２１と、このフレーム２１に嵌着するカバー２２，２３によってケースが構成され、フレーム２１の端部でカバー２２又は２３に対するアース接点部の位置に、フレーム２１から一体に設けた突片２６をフレーム２１の一面側に重なるよう折り返して曲げ部２７が形成されている。この曲げ部２７はカバー２２又は２３と接触するアース接点となり、その表面は表面処理面になっているので、経時的に錆の発生はなく、接続状態を安定化することができる。また、突片２６はフレーム２１の一面に重なるように折り返されているので、フレーム２１内への突出量が少なく、内部部品の調整時に邪魔にならないと共に、回路基板に設ける逃がし用の切欠も少なくてすみ、回路基板の有効スペースの減少を防ぐことができる。」と記載され、
　また、【００１３】には、「また、フレームとカバーの良好なアース接点を得る手段として、図１１に示すように、フレーム４の端部にフレームと一体の折り曲げ片１０を直角に設け、カバーのアース爪をこの折り曲げ片１０に圧接させることにより接続する構造が考えられる。」と記載され、
　また、【００２５】には、「図４（Ａ）と（Ｂ）は、フレーム２１上に嵌着したカバー２２とシールド板２５のアース接続部分を示し、カバー２２の内面に切り起して設けたアース爪２８の先端が曲げ部２７に圧接している。」と記載されている。
　　　　　　　　　　　　　　　　　　　　　　　　　　　　　　　　
 (
4
　本件発明と刊行物１及び刊行物２に記載された発明とを比較検討する。
（以下、〈〉内には、本件発明で相当している事項の用語を示す。）
　刊行物１には、本件発明の前提となる
「少なくとも上下の一方向の面が開口した開口部を有するフレーム１１の外周プレート１１ａ〈枠体〉と、この外周プレート１１ａ〈枠体〉の一方の辺に設けられたコネクタと、このコネクタの近傍に設けられるとともに前記外周プレート１１ａ〈枠体〉の開口縁に前記開口部側へ折り曲げて設けられた屈曲片１７〈突出部〉と、開口部に装着されたカバーと、前記カバーにスリットによって形成された接合部とを備え、屈曲片１７〈突出部〉の幅はコネクタの直径と同程度である高周波装置のケース。」が記載されているが、　
　本件発明の構成要件である「前記突出部の幅は前記コネクタの直径より大きくするとともに前記突出部の折り曲げの長さは前記スリットの長さより長くし、前記圧接部の幅を前記コネクタの直径の略半分とするとともに前記圧接部の前記先端部が前記突出部に折り曲げられて圧接された」という構成については示されていない。
　　　　　　　　　　　　　　　　　　　　　　　　　　　　　　　
　また、上記刊行物２には、「アース爪２８の先端が曲げ部２７に圧接している」点は示されているが、上記構成要件に係るアース爪２８と曲げ部２７（突片２６，折り曲げ片１０）との大きさの関係については示されていない。
　　　　　　　　　　　　　　
　してみると、刊行物１及び２のいずれにも本件発明の上記構成要件である
「前記突出部の幅は前記コネクタの直径より大きくするとともに前記突出部の折り曲げの長さは前記スリットの長さより長くし、前記圧接部の幅を前記コネクタの直径の略半分とするとともに前記圧接部の前記先端部が前記突出部に折り曲げられて圧接された」という構成については示されていないことになる。
　　　　　　　　　　　　　　　　　　　　　　　　　　　　　　　　
　そして、上記構成を備えたことにより、本件発明は、「スリットにより生ずる孔を突出部で塞ぐことができるので、より高いシールド効果を得ることができる【００１９】」という作用効果を奏するものであるから、本件発明は刊行物１及び刊行物２に記載された発明から当業者が容易に発明をすることができたものとすることはできない。
　　　　　　　　　　　　　　　　　　　
 (
5
　以上のとおり、特許異議の申立ての理由及び提出された証拠によっては、訂正明細書の請求項１に係る発明についての特許を取り消すことはできない。
　また、他に訂正明細書の請求項１に係る発明についての特許を取り消すべき理由を発見しない。　
　よって、結論のとおり決定する。
【異議決定日】
平成１６年１１月１０日（２００４．１１．１０）
【訂正の要旨】
審決（決定）の【理由】欄参照。
（５４）【発明の名称】
高周波装置のケース
（５７）【特許請求の範囲】
　【請求項１】　少なくとも上下の一方向の面が開口した開口部を有する枠体
と
の一方の辺
た
枠体の
と、前記開口部に装着されたカバーと、
形成された圧接部とを備え、前記突出部の幅は前記コネクタの直径より大きくするとともに前記突出部の折り曲げの長さは前記スリットの長さより長くし、前記圧接部の幅を前記コネクタの直径の略半分とするとともに前記圧接部の前記先端部が前記突出部に折り曲げられて
　【請求項２】　
圧接部の幅の根元はその先端部より狭くした請求項１に記載の高周波装置のケース。
【発明の詳細な説明】
　【０００１】
　【産業上の利用分野】
　本発明は電子チューナなどの高周波装置のケースに関するものである。
　【０００２】
　【従来の技術】
　従来の高周波装置のケースは図５に示すように、枠体１の上下の開口部にカバー２を覆うように装着し、このカバー２の折り曲げ部２ａを枠体１に当接させて電気的或いは機構的な接続をさせていた。ここで３は枠体１に設けられたコネクタであるが、このコネクタ３近傍にも折り曲げ部２ｂを設けるため、どうしても枠体１の厚みが大きくなるという問題点があった。
　【０００３】
　この枠体１の厚みを薄くするために、例えば図６に示すように、枠体４にコネクタ５を設け、このコネクタ５に対応する部分にカバー６の折り曲げ部６ａの不形成部６ｂを設けることにより実現していた。
　【０００４】
　【発明が解決しようとする課題】
　しかしながら、図６のような従来の構成では、コネクタ５の近傍にはカバー６の折り曲げ部６ａが形成されていないため、枠体４とカバー６との接触が不安定となり、安定した高周波特性が得られないという問題があった。
　【０００５】
　そこで本発明は、このような問題点を解決するもので、枠体とカバーとの接触を確実なものにすることを目的としたものである。
　【０００６】
　【課題を解決するための手段】
　この目的を達成するために本発明の高周波装置のケースは、
突出部の幅はコネクタの直径より大きくするとともに前記突出部の折り曲げの長さはスリットの長さより長くし、圧接部の幅を前記コネクタの直径の略半分とするとともに前記圧接部の先端部が前記突出部に折り曲げられて
　【０００７】
　【作用】
　この構成により、枠体に設けられた突出部とカバーに設けられた圧接部が確実に当接することになるので、枠体とカバーとの接触を確実なものにすることができる。
　【０００８】
　【実施例】
　以下、本発明の一実施例を図面に基づいて詳細に説明する。
　【０００９】
　図１に於いて１１は上下が開口した金属製の枠体（幅約４０ｍｍ、長さ約７０ｍｍ、厚み約１３ｍｍ）であり、この枠体１１の一方の辺２５にコネクタ１２（直径約１２ｍｍ）が設けられている。
　【００１０】
　１３は枠体１１の開口部側に折り曲げられた突出部であり、前記コネクタ１２の近傍に設けられている。
　【００１１】
　１４は金属製のカバーであり、折り曲げ部１４ａで枠体１１の開口部を覆うように装着される。１５はカバー１４に設けられた圧接部であり、前記突出部１３に対応した位置に形成されている。また、この枠体１１内には電子部品が装着されている。
　【００１２】
図２は、突出部１３と圧接部１５近傍の要部斜視図である。図２において突出部１３の幅１３ａは円形状のコネクタ１２の直径１２ａより大きくなっている。これは確実に圧接部１５との接触を得るためである。尚、本実施例においては、この
突出部１３
　【００１３】
　また、突出部１３の折り曲げ長さ１３ｂは本実施例に於いては、約３ｍｍとしている。この長さ１３ｂは長い程確実なアースがとれるものであるが、この長さをあまり長くすると電子部品の実装等に影響を与えるので、１ｍｍから５ｍｍの長さが望ましい。
　【００１４】
　１５はカバー１４に一体形成された圧接部であり、スリット１６とスリット１７で形成されている（なお、このスリットは３個以上設けることもできる。）。このスリット１６の長さ１６ａ及びスリット１７の長さ１７ａは前記突出部１３の折り曲げ長さ１３ｂの長さよりも短い。これはカバー１４の装着時、スリット１６及び１７により生ずる孔を突出部１３で確実に塞ぐためである。スリット１６及びスリット１７の長さは長い程圧接部１５の弾性が増し接触は安定になる。しかし、突出部１３でスリット１６及びスリット１７の孔を塞ぐことができないのでシールド効果は悪くなる。従って本実施例ではスリット１６及びスリット１７の長さを約２．５ｍｍとし、スリット１６及びスリット１７による孔が生じないようにしている。また、スリット１６とスリット１７間に形成される圧接部１５は、その先端部が下方、すなわち当接部１３側へ０．５ｍｍから１．０ｍｍ程、圧接部１５の根元１５ｂで折り曲げられている。従ってカバー１４を枠体１１に装着した時、圧接部１５は突出部１３に確実に当接することになる。
　【００１５】
　次に圧接部１５の圧接幅１５ａについて図３を用いて説明する。圧接部の幅１５ａを小さくすると図３（ｂ）に示すようにカバー１４と枠体１１との間の隙間１８が大きくなって嵌合はしやすくなるがシールド効果が悪くなる。また、図３（ａ）に示すように圧接幅１５ａを大きくすると隙間１８が小さくなり枠体１１とカバー１４ａのシールド効果は向上するが嵌合が悪くなる。従って本実施例では圧接幅１５ａはコネクタ１２の直径１２ａの約半分にしている。この圧接幅１５ａはコネクタ１２の直径１２ａの１／４から２／３程度の幅が望ましい。
　【００１６】
　図４は他の実施例による圧接部の平面図である。図４（ａ）はスリット１９及びスリット２０をＬ字形として圧接部２１の先端部２１ａより根元部２１ｂを狭くした例である。
　【００１７】
　図４（ｂ）はスリット２２及びスリット２３を斜めに形成し圧接部２４の先端部２４ａより根元部２４ｂを狭くした例である。
　【００１８】
　このような形状にすることにより、先端部２１ａ，２４ａが広くなるので確実に突出部１３に当接させることができる。また、根元が狭くなっているので圧接時の弾性効果はより大きくなり突出部１３への当接がより安定する。
　【００１９】
　【発明の効果】
　以上のように本発明の高周波装置のケースは、
突出部の幅はコネクタの直径より大きくするとともに前記突出部の折り曲げの長さはスリットの長さより長くし、圧接部の幅を前記コネクタの直径の略半分とするとともに前記圧接部の先端部が前記突出部に折り曲げられて
また、スリットにより生ずる孔を突出部で塞ぐことができるので、
【図面の簡単な説明】
　【図１】
　本発明の一実施例による高周波装置のケースの斜視図
　【図２】
　同、要部斜視図
　【図３】
　（ａ）は同、要部正面図
　（ｂ）は同、要部正面図
　【図４】
　（ａ）は他の実施例による圧接部の要部平面図
　（ｂ）は更に他の実施例による圧接部の要部平面図
　【図５】
　従来の高周波装置のケースの斜視図
　【図６】
　同、他の斜視図
　【符号の説明】
　１１　枠体
　１２　コネクタ
　１３　突出部
　１４　カバー
　１５　圧接部